(57)【特許請求の範囲】
【請求項１】
シートの種別と枚数を指定した印刷指示に従って形成されるシート束のうち当該指定された枚数のシートの厚さの予測値と、綴じ具で綴じられるシート束の厚さの上限値とから、前記指定された枚数の分割数を算出し、前記予測値を当該分割数で除した値に基づいて分割後のシート束の厚さの目標値を設定する設定手段と、
１枚ずつ搬送されるシートの厚さの計測値を取得する取得手段と、
搬送された前記シートを積み重ねて、前記計測値から求められた厚さが前記目標値以下となるシート束を形成する形成手段と、
前記形成手段によって形成されたシート束を前記綴じ具で綴じる旨を綴じ装置に指示する指示手段と
を備える制御装置。
【請求項２】
前記取得手段によって取得された計測値が前記印刷指示で指定された種別のシートの厚さと異なる場合に、当該計測値を用いて前記指定された枚数のシートの厚さの予測値を算出し、算出された厚さと前記上限値とから前記指定された枚数の分割数を算出し、算出された厚さを算出された分割数で除した値に基づいて分割後のシート束の厚さの目標値を再設定する再設定手段を備える請求項１に記載の制御装置。
【請求項３】
前記指示手段は、前記形成手段によって形成されたシート束が前記綴じ具で綴じられた後、当該シート束の後続のシートが１枚だけである場合に、当該シートを綴じる旨を前記綴じ装置に指示しない請求項１又は２に記載の制御装置。
【請求項４】
シートの種別と枚数を指定した印刷指示に従って形成されるシート束のうち当該指定された枚数のシートの厚さの予測値と、綴じ具で綴じられるシート束の厚さの上限値とから、前記指定された枚数の分割数を算出し、前記予測値を当該分割数で除した値に基づいて分割後のシート束の厚さの目標値を設定する設定手段と、
１枚ずつ搬送されるシートの厚さの計測値を取得する取得手段と、
搬送されるシートに前記印刷指示に従って画像を印刷する印刷手段と、
前記印刷手段によって画像が印刷された前記シートを積み重ねて、前記計測値から求められた厚さが前記目標値以下となるシート束を形成する形成手段と、
前記形成手段によって形成されたシート束を前記綴じ具で綴じる旨を綴じ装置に指示する指示手段と
を備える印刷装置。
【発明の詳細な説明】
【技術分野】
【０００１】
本発明は、制御装置及び印刷装置に関する。
【背景技術】
【０００２】
特許文献１には、用紙束にステイプル処理を行う技術が記載されている。この技術では、画像形成装置により画像形成された用紙が後処理装置に搬送され、後処理装置が、搬送された用紙の紙厚を検知し、検知した紙厚を積算し、積算値が閾値に達したならば、それまでに搬送された用紙を含む用紙束に対してステイプル処理を行う。ステイプル処理を行ったならば、後処理装置は、積算値を０に戻し、上記の処理を繰り返す。最後の用紙までの積算値が閾値に達しない場合には、後処理装置は、最後の用紙までを含む用紙束に対してステイプル処理を行う。
【先行技術文献】
【特許文献】
【０００３】
【特許文献１】特開２００５−２６３４５７号公報
【発明の概要】
【発明が解決しようとする課題】
【０００４】
本発明は、綴じ具で綴じられる厚さの上限値を超えないようにシート束を分割する場合に、シートごとの厚さを計測しない場合と比較して、分割後の各シート束の厚さを均等な厚さに近づけることを目的とする。
【課題を解決するための手段】
【０００５】
請求項１に係る発明は、シートの種別と枚数を指定した印刷指示に従って形成されるシート束のうち綴じ具で綴じられていない未綴じシート束の厚さと、前記綴じ具で綴じられるシート束の厚さの上限値とから、前記未綴じシート束の分割数を算出し、前記未綴じシート束の厚さを当該分割数で除した値に基づいて分割後のシート束の厚さの目標値を設定する設定手段と、１枚ずつ搬送されるシートの厚さの計測値を取得する取得手段と、搬送された前記シートを積み重ねて、前記計測値から求められた厚さが前記目標値以下となるシート束を形成する形成手段と、前記形成手段によって形成されたシート束を前記綴じ具で綴じる旨を綴じ装置に指示する指示手段とを備える制御装置を提供する。
【０００６】
請求項２に係る発明は、請求項１に記載の制御装置において、前記取得手段によって取得された計測値が前記印刷指示で指定された種別のシートの厚さと異なる場合に、当該計測値を用いて前記未綴じシート束の厚さを算出し、算出された厚さと前記上限値とから前記未綴じシート束の分割数を算出し、算出された厚さを算出された分割数で除した値に基づいて分割後のシート束の厚さの目標値を再設定する再設定手段を備える。
【０００７】
請求項３に係る発明は、請求項１又は２に記載の制御装置において、前記指示手段は、前記形成手段によって形成されたシート束が前記綴じ具で綴じられた後、当該シート束の後続のシートが１枚だけである場合に、当該シートを綴じる旨を前記綴じ装置に指示しない。
【０００８】
請求項４に係る発明は、シートの種別と枚数を指定した印刷指示に従って形成されるシート束のうち綴じ具で綴じられていない未綴じシート束の厚さと、前記綴じ具で綴じられるシート束の厚さの上限値とから、前記未綴じシート束の分割数を算出し、前記未綴じシート束の厚さを当該分割数で除した値に基づいて分割後のシート束の厚さの目標値を設定する設定手段と、１枚ずつ搬送されるシートの厚さの計測値を取得する取得手段と、搬送されるシートに前記印刷指示に従って画像を印刷する印刷手段と、前記印刷手段によって画像が印刷された前記シートを積み重ねて、前記計測値から求められた厚さが前記目標値以下となるシート束を形成する形成手段と、前記形成手段によって形成されたシート束を前記綴じ具で綴じる旨を綴じ装置に指示する指示手段とを備える印刷装置を提供する。
【発明の効果】
【０００９】
請求項１、４に係る発明によれば、綴じ具で綴じられる厚さの上限値を超えないようにシート束を分割する場合に、シートごとの厚さを計測しない場合と比較して、分割後の各シート束の厚さを均等な厚さに近づけることができる。
請求項２に係る発明によれば、指定された種別のシートと異なる厚さのシートが混入した場合でも、上限値を超えないようにシート束を分割することができる。
請求項３に係る発明によれば、シート束の分割後にシートが１枚だけ綴じられることを防ぐことができる。
【図面の簡単な説明】
【００１０】
【図１】ハードウェア構成を示す図。
【図２】シート厚さテーブルを示す図。
【図３】制御装置１の機能構成を示す図。
【図４】制御装置１の動作を示す流れ図。
【図５】動作例１におけるシート束の構成を示す図。
【図６】動作例２におけるシート束の構成を示す図。
【図７】動作例３におけるシート束の構成を示す図。
【図８】動作例４におけるシート束の構成を示す図。
【図９】動作例５におけるシート束の構成を示す図。
【図１０】動作例６におけるシート束の構成を示す図。
【図１１】動作例７におけるシート束の構成を示す図。
【発明を実施するための形態】
【００１１】
本発明の実施形態の一例について説明する。
図１は、実施形態のハードウェア構成を示す図である。制御装置１と印刷装置３とは一体に構成されている。制御装置１は、印刷装置３の動作を制御する機能を有する。情報処理装置２は、例えばＰＣ（Personal Computer）であり、印刷装置３に処理を実行させるための印刷指示を制御装置１に送信する。
【００１２】
印刷装置３は、収容部３１、搬送部３２、計測部３３、印刷部３４、貯留部３５、表示部３６、受付部３７、綴じ処理部３９及び排出部４０を備える。収容部３１は、シート状の記録媒体（以下、シートという。）を収容する。搬送部３２は、収容部３１に収容されたシートを１枚ずつ取り出し、取り出したシートを搬送路３８に沿って搬送する。計測部３３は、搬送されるシートの厚さを計測する。印刷部３４は、制御装置１から出力された印刷指示に基づいて、例えば電子写真方式によりトナー像を形成し、搬送路３８上を搬送されるシートにトナー像を転写する。貯留部３５は、像が転写されたシートを積み重ねて貯留する。綴じ処理部３９は、貯留部３５に貯留されたシートで形成されるシート束を綴じる処理を施す。具体的には、綴じ処理部３９は、シート束を綴じ具で綴じる綴じ装置である。例えば、綴じ具はステイプル（針状の綴じ具）であり、綴じ装置はステイプラである。排出部４０には、綴じ処理部３９によって処理が施されたシート束が搬送部３２によって排出される。表示部３６は、例えば液晶表示装置であり、ユーザが印刷装置３を操作するための操作画面を表示する。受付部３７は、例えば表示部３６の表示面を覆うように設けられたタッチパネルであり、ユーザが行った操作を受け付けて制御装置１に出力する。
【００１３】
制御装置１は、制御部１１、記憶部１２及び通信部１３を備える。制御部１１は、ＣＰＵ（Central Processing Unit）などの演算装置と、ＲＯＭ（Read Only Memory）やＲＡＭ（Random Access Memory）などの記憶装置とを備える（いずれも図示省略）。ＲＯＭには、ハードウェアやＯＳ（Operating System）の起動の手順を記述したファームウェアが記憶されている。ＲＡＭは、ＣＰＵが演算を実行する際のデータの記憶に用いられる。記憶部１２は、例えばハードディスク記憶装置を備え、ＯＳやアプリケーションプログラムなどが記憶されている。通信部１３は、制御装置１をＬＡＮ（Local Area Network）に接続するための通信Ｉ／Ｆ（Interface）である。
【００１４】
図２は、シート厚さテーブルを示す図である。シート厚さテーブルは、シートの種別とシートの厚さとを対応付けたテーブルであり、記憶部１２に記憶されている。シートの種別は、普通紙と３種類の厚紙（厚紙Ａ、厚紙Ｂ、厚紙Ｃ）である。シートの厚さは、普通紙＝２（無次元数）として、厚紙の厚さを普通紙に対する比率で示したものであり、厚紙Ａ＝４、厚紙Ｂ＝５、厚紙Ｃ＝６である。複数のシートで形成されるシート束の厚さ（以下、束厚ともいう。）も、この無次元数を用いて表す。綴じ具で綴じられるシート束の厚さの上限値は、主に綴じ具の寸法で決まる。例えば、綴じ具がステイプルの場合、上限値はステイプルのシートに刺さる部分の長さで決まる。この上限値も前述の無次元数で表される。本実施形態では、上限値を５０とする。
【００１５】
図３は、制御装置１の機能構成を示す図である。本実施形態において、制御装置１は、設定手段１０１、取得手段１０２、形成手段１０３、指示手段１０４及び再設定手段１０５を備える。設定手段１０１は、シートの種別と枚数を指定した印刷指示に従って形成されるシート束のうち綴じ具で綴じられていない未綴じシート束の厚さと、綴じ具で綴じられるシート束の厚さの上限値とから、未綴じシート束の分割数を算出し、未綴じシート束の厚さを当該分割数で除した値に基づいて分割後のシート束の厚さの目標値を設定する。取得手段１０２は、１枚ずつ搬送されるシートの厚さの計測値を取得する。形成手段１０３は、搬送されたシートを積み重ねて、計測値から求められた厚さが目標値以下となるシート束を形成する。指示手段１０４は、形成手段１０３によって形成されたシート束を綴じ具で綴じるように綴じ装置に指示する。再設定手段１０５は、取得手段１０２によって取得された計測値が印刷指示で指定された種別のシートの厚さと異なる場合に、当該計測値を用いて未綴じシート束の厚さを算出し、算出された厚さと上限値とから未綴じシート束の分割数を算出し、算出された厚さを算出された分割数で除した値に基づいて分割後のシート束の厚さの目標値を再設定する。
【００１６】
図４は、上記の機能による制御装置１の動作を示す流れ図である。制御装置１の制御部１１は、記憶部１２に記憶されたアプリケーションプログラムで記述された手順に従って以下の処理を実行する。以下の処理は、制御装置１が情報処理装置２から印刷指示を受信したことを契機として開始される。
【００１７】
ステップＳ１０１において、制御部１１は、シート束を綴じ具で綴じる旨の指示が印刷指示に含まれているか否かを判定する。綴じる旨の指示が含まれている場合（ステップＳ１０１：ＹＥＳ）には、制御部１１の処理はステップＳ１０２に進み、綴じる旨の指示が含まれていない場合（ステップＳ１０１：ＮＯ）には、制御部１１の処理はステップＳ４０１に進む。ステップＳ４０１において、制御部１１は、印刷指示に従って印刷部３４に全ページを印刷させ、処理を終了する。この場合、印刷済みのシート束を綴じ具で綴じる処理は行われない。
【００１８】
ステップＳ１０２において、制御部１１は、印刷指示に従って形成されるシート束のうち綴じ具で綴じられていないシート束（以下、未綴じシート束という。）の厚さが上限値を超えるか否かを判定する。印刷指示には、印刷する画像を示すデータと、シートの種別を示す情報と、印刷の条件を示す情報とが含まれる。印刷の条件とは、片面印刷／両面印刷の指定、縮小した複数のページをシートの片面にまとめて印刷する場合のページ数などの情報を含み、制御部１１は、これらの情報と印刷する画像のページ数とから、この印刷に用いられるシートの枚数を求める。また、制御部１１は、印刷指示で指定された種別のシートの厚さをシート厚さテーブルによって特定する。制御部１１は、シートの厚さにシートの枚数を乗じることにより、シート束の厚さを求める。この厚さが上限値（綴じ具で綴じられるシート束の厚さの上限値）を超える場合（ステップＳ１０２：ＹＥＳ）には、制御部１１の処理はステップＳ１０３に進み、この厚さが上限値を超えない場合（ステップＳ１０２：ＮＯ）には、制御部１１の処理はステップＳ１０４に進む。
【００１９】
ステップＳ１０３において、制御部１１は、未綴じシート束の分割数を求め、分割後のシート束の厚さの目標値を設定する。分割数は、未綴じシート束の厚さを上限値で除することによって得られる商（整数値）で表される。余りが生じた場合には、商に１を加えた数が分割数となる。目標値は、未綴じシート束の厚さをこの分割数で除することによって得られる商で表される。商が小数の場合には、小数点以下を繰り上げて目標値を整数にする。
ステップＳ１０４において、制御部１１は、目標値を未綴じシート束の厚さに設定する。
【００２０】
ステップＳ１０５において、制御部１１は、収容部３１からシートを１枚取り出して搬送路３８に沿って搬送する旨の指示を搬送部３２に与える。
ステップＳ１０６において、制御部１１は、搬送されるシートの厚さを計測する旨の指示を計測部３３に与える。
ステップＳ１０７において、制御部１１は、計測値の累積値が目標値を超えたか否かを判定する。計測値の累積値が目標値を超えた場合（ステップＳ１０７：ＹＥＳ）には、制御部１１の処理はステップＳ３０１に進み、計測値の累積値が目標値を超えない場合（ステップＳ１０７：ＮＯ）には、制御部１１の処理はステップＳ１０８に進む。
【００２１】
ステップＳ１０８において、制御部１１は、計測値が印刷指示で指定された種別のシートの厚さに等しいか否かを判定する。計測値が指定された種別のシートの厚さに等しい場合（ステップＳ１０８：ＹＥＳ）には、制御部１１の処理はステップＳ１１２に進み、計測値が指定された種別のシートの厚さに等しくない場合（ステップＳ１０８：ＮＯ）には、制御部１１の処理はステップＳ１０９に進む。
【００２２】
ステップＳ１０９において、制御部１１は、ステップＳ１０２と同様の処理により、未綴じシート束の厚さが上限値を超えるか否かを判定する。ただし、未綴じシート束の厚さを算出する際、厚さが計測済みであるシートについては計測値を用いる。厚さが上限値を超える場合（ステップＳ１０９：ＹＥＳ）には、制御部１１の処理はステップＳ１１０に進み、厚さが上限値を超えない場合（ステップＳ１０９：ＮＯ）には、制御部１１の処理はステップＳ１１１に進む。
ステップＳ１１０において、制御部１１は、ステップＳ１０３と同様の処理により、未綴じシート束の分割数を求め、分割後のシート束の厚さの目標値を設定する。
ステップＳ１１１において、制御部１１は、目標値を未綴じシート束の厚さに設定する。
【００２３】
ステップＳ１１２において、制御部１１は、貯留済みシート束の厚さが目標値未満であるか否かを判定する。貯留とは、ステップＳ１１４において印刷済みのシートを貯留部３５に貯留することを指す。貯留済みシート束の厚さが目標値未満である場合（ステップＳ１１２：ＹＥＳ）には、制御部１１の処理はステップＳ１１３に進み、貯留済みシート束の厚さが目標値未満でない場合（ステップＳ１１２：ＮＯ）には、制御部１１の処理はステップＳ３０１に進む。
【００２４】
ステップＳ１１３において、制御部１１は、印刷指示に従ってシートに画像を印刷する旨の指示を印刷部３４に与える。
ステップＳ１１４において、制御部１１は、印刷済みのシートを貯留部３５に貯留する旨の指示を搬送部３２に与える。
ステップＳ１１５において、制御部１１は、印刷指示に基づく全ての印刷が済んだか否かを判定する。全て印刷済みである場合（ステップＳ１１５：ＹＥＳ）には、制御部１１の処理はステップＳ１１６に進み、印刷する画像が残っている場合（ステップＳ１１５：ＮＯ）には、制御部１１の処理はステップＳ１０５に戻る。
【００２５】
ステップＳ１１６において、制御部１１は、貯留済みのシートが１枚か否かを判定する。貯留済みのシートが１枚である場合（ステップＳ１１６：ＹＥＳ）には、制御部１１の処理はステップＳ１１８に進み、貯留済みのシートが２枚以上である場合（ステップＳ１１６：ＮＯ）には、制御部１１の処理はステップＳ１１７に進む。
ステップＳ１１７において、制御部１１は、貯留済みのシート束を綴じる旨の指示を綴じ処理部３９に与え、綴じられたシート束を排出部４０に排出する旨の指示を搬送部３２に与える。
ステップＳ１１８において、制御部１１は、貯留済みのシート束を排出部４０に排出する旨の指示を搬送部３２に与える。
【００２６】
ステップＳ３０１において、制御部１１は、貯留済みのシート束を綴じる旨の指示を綴じ処理部３９に与え、綴じられたシート束を排出部４０に排出する旨の指示を搬送部３２に与える。
ステップＳ３０２において、制御部１１は、累積値を最新の計測値で上書きする。
ステップＳ３０３において、制御部１１は、ステップＳ１０２と同様の処理により、未綴じシート束の厚さが上限値を超えるか否かを判定する。ただし、未綴じシート束の厚さを算出する際、厚さが計測済みであるシートについては計測値を用いる。厚さが上限値を超える場合（ステップＳ３０３：ＹＥＳ）には、制御部１１の処理はステップＳ３０４に進み、厚さが上限値を超えない場合（ステップＳ３０３：ＮＯ）には、制御部１１の処理はステップＳ１１３に進む。
ステップＳ３０４において、制御部１１は、ステップＳ１０３と同様の処理により、未綴じシート束の分割数を求め、分割後のシート束の厚さの目標値を再設定する。
【００２７】
次に、本実施形態の動作例を示す。いずれのケースも、上限値は５０である。
＜動作例１＞
動作例１は、普通紙２５枚を綴じる旨の指示が制御装置１に与えられた例である。最初に、ステップＳ１０１において、ＹＥＳと判定される。次に、ステップＳ１０２において、シートの厚さは２であり、未綴じシート束の厚さは、２×２５＝５０であるから、ＮＯと判定される。次に、ステップＳ１０４において、目標値が５０に設定される。次に、１枚目のシートに対してステップＳ１０５、Ｓ１０６、Ｓ１０７（ＮＯ）、Ｓ１０８（ＹＥＳ）、Ｓ１１２（ＹＥＳ）、Ｓ１１３、Ｓ１１４、Ｓ１１５（ＮＯ）の順に処理が実行され、その後、最後のシートに対してステップＳ１１５でＹＥＳと判定され、Ｓ１１６（ＮＯ）、Ｓ１１７の順に処理が実行される。その結果、図５に示すように、２５枚の普通紙で１つのシート束が形成され、このシート束が綴じ具で綴じられる。なお、図５以降では、視覚的な理解を容易にするために、普通紙５枚を１つの塊として図示している。
【００２８】
＜動作例２＞
動作例２は、普通紙２０枚を綴じる旨の指示が制御装置１に与えられ、収容部３１に収容されたシートの１５枚目に厚紙Ｂが混入していた例である。最初に、ステップＳ１０１において、ＹＥＳと判定される。次に、ステップＳ１０２において、シートの厚さは２であり、未綴じシート束の厚さは２×２０＝４０であるから、ＮＯと判定される。次に、ステップＳ１０４において、目標値が４０に設定される。次に、１枚目から１４枚目のシートの厚さの計測値が２であるから、これらのシートに対してステップＳ１０５、Ｓ１０６、Ｓ１０７（ＮＯ）、Ｓ１０８（ＹＥＳ）、Ｓ１１２（ＹＥＳ）、Ｓ１１３、Ｓ１１４、Ｓ１１５（ＮＯ）の順に処理が実行される。
【００２９】
次に、１５枚目のシートの厚さの計測値が５であるから、ステップＳ１０７において、計測値の累積値は、２×１４＋５＝３３となり、ＮＯと判定される。次に、ステップＳ１０８において、ＮＯと判定され、ステップＳ１０９において、未綴じシート束の厚さは、３３＋２×５＝４３となるから、ＮＯと判定され、ステップＳ１１１において、目標値が４３に設定される。ステップＳ１１２において、貯留済みのシート束の厚さは、２×１４＝２８であるから、ＹＥＳと判定され、ステップＳ１１３、Ｓ１１４、Ｓ１１５（ＮＯ）の順に処理が実行される。その後、残りの全てのシートの厚さの計測値が２であるから、最後のシートに対してステップＳ１１５でＹＥＳと判定され、Ｓ１１６（ＮＯ）、Ｓ１１７の順に処理が実行される。その結果、図６に示すように、２４枚の普通紙と１枚の厚紙Ｂとで１つのシート束が形成され、このシート束が綴じ具で綴じられる。
【００３０】
＜動作例３＞
動作例３は、普通紙２５枚を綴じる旨の指示が制御装置１に与えられ、収容部３１に収容されたシートの１１枚目に厚紙Ｂが混入していた例である。最初に、ステップＳ１０１において、ＹＥＳと判定される。次に、ステップＳ１０２において、シートの厚さは２であり、未綴じシート束の厚さは、２×２５＝５０であるから、ＮＯと判定される。次に、ステップＳ１０４において、目標値が５０に設定される。次に、１枚目から１０枚目のシートの厚さの計測値が２であるから、これらのシートに対してステップＳ１０５、Ｓ１０６、Ｓ１０７（ＮＯ）、Ｓ１０８（ＹＥＳ）、Ｓ１１２（ＹＥＳ）、Ｓ１１３、Ｓ１１４、Ｓ１１５（ＮＯ）の順に処理が実行される。
【００３１】
次に、１１枚目のシートの厚さの計測値が５であるから、ステップＳ１０７において、計測値の累積値は、２×１０＋５＝２５となり、ＮＯと判定される。次に、ステップＳ１０８において、ＮＯと判定され、ステップＳ１０９において、未綴じシート束の厚さは、２５＋２×１４＝５３となるから、ＹＥＳと判定され、ステップＳ１１０において、５３÷５０＝１（余り３）より、分割数＝２となり、５３÷２＝２６．５より、目標値＝２７となる。次に、ステップＳ１１２において、貯留済みのシート束の厚さは、２×１０＝２０であるから、ＹＥＳと判定され、ステップＳ１１３、Ｓ１１４、Ｓ１１５（ＮＯ）の順に処理が実行される。その後、残りの全てのシートの厚さの計測値が２であるから、１３枚目のシートに対してステップＳ１０７でＹＥＳと判定される。
【００３２】
次に、ステップＳ３０１において１枚目から１２枚目までのシート束が１つに綴じられて排出され、ステップＳ３０２において、累積値＝２となる。次に、ステップＳ３０３において、未綴じシート束の厚さは、２×１３＝２６であるから、ＮＯと判定される。その後、最後のシートに対してステップＳ１１５でＹＥＳと判定され、Ｓ１１６（ＮＯ）、Ｓ１１７の順に処理が実行される。その結果、図７に示すように、１１枚の普通紙と１枚の厚紙Ｂとで１つのシート束が形成され、さらに、１３枚の普通紙で１つのシート束が形成され、各シート束が綴じ具で綴じられる。
【００３３】
＜動作例４＞
動作例４は、普通紙２５枚を綴じる旨の指示が制御装置１に与えられ、収容部３１に収容されたシートの２０枚目に厚紙Ｂが混入していた例である。最初に、ステップＳ１０１において、ＹＥＳと判定される。次に、ステップＳ１０２において、シートの厚さは２であり、未綴じシート束の厚さは、２×２５＝５０であるから、ＮＯと判定される。次に、ステップＳ１０４において、目標値が５０に設定される。次に、１枚目から１９枚目のシートの厚さの計測値が２であるから、これらのシートに対してステップＳ１０５、Ｓ１０６、Ｓ１０７（ＮＯ）、Ｓ１０８（ＹＥＳ）、Ｓ１１２（ＹＥＳ）、Ｓ１１３、Ｓ１１４、Ｓ１１５（ＮＯ）の順に処理が実行される。
【００３４】
次に、２０枚目のシートの厚さの計測値が５であるから、ステップＳ１０７において、計測値の累積値は、２×１９＋５＝４３となり、ＮＯと判定される。次に、ステップＳ１０８において、ＮＯと判定され、ステップＳ１０９において、未綴じシート束の厚さは、４３＋２×５＝５３であるから、ＹＥＳと判定され、ステップＳ１１０において、５３÷５０＝１（余り３）より、分割数＝２となり、５３÷２＝２６．５より、目標値＝２７となる。次に、ステップＳ１１２において、貯留済みのシート束の厚さは、２×１９＝３８であるから、ＮＯと判定される。
【００３５】
次に、ステップＳ３０１において１枚目から１９枚目までのシート束が１つに綴じられて排出され、ステップＳ３０２において、累積値＝５となる。次に、ステップＳ３０３において、未綴じシート束の厚さは、５＋２×５＝１５であるから、ＮＯと判定される。その後、残りの全てのシートの厚さの計測値が２であるから、最後のシートに対してステップＳ１１５でＹＥＳと判定され、Ｓ１１６（ＮＯ）、Ｓ１１７の順に処理が実行される。その結果、図８に示すように、１９枚の普通紙で１つのシート束が形成され、さらに、１枚の厚紙Ｂと５枚の普通紙とで１つのシート束が形成され、各シート束が綴じ具で綴じられる。
【００３６】
＜動作例５＞
動作例５は、普通紙２５枚を綴じる旨の指示が制御装置１に与えられ、収容部３１に収容されたシートの２５枚目に厚紙Ｂが混入していた例である。最初に、ステップＳ１０１において、ＹＥＳと判定される。次に、ステップＳ１０２において、シートの厚さは２であり、未綴じシート束の厚さは、２×２５＝５０であるから、ＮＯと判定される。次に、ステップＳ１０４において、目標値が５０に設定される。次に、１枚目から２４枚目のシートの厚さの計測値が２であるから、これらのシートに対してステップＳ１０５、Ｓ１０６、Ｓ１０７（ＮＯ）、Ｓ１０８（ＹＥＳ）、Ｓ１１２（ＹＥＳ）、Ｓ１１３、Ｓ１１４、Ｓ１１５（ＮＯ）の順に処理が実行される。
【００３７】
次に、２５枚目のシートの厚さの計測値が５であるから、ステップＳ１０７において、計測値の累積値は、２×２４＋５＝５３となり、ＮＯと判定される。次に、ステップＳ１０８において、ＮＯと判定され、ステップＳ１０９において、未綴じシート束の厚さは、５３であるから、ＹＥＳと判定され、ステップＳ１１０において、５３÷５０＝１（余り３）より、分割数＝２となり、５３÷２＝２６．５より、目標値＝２７となる。ステップＳ１１２において、貯留済みのシート束の厚さは、２×２４＝４８であるから、ＮＯと判定される。
【００３８】
次に、ステップＳ３０１において１枚目から２４枚目までのシート束が１つに綴じられて排出され、ステップＳ３０２において、累積値＝５となる。次に、ステップＳ３０３において、未綴じシート束の厚さは５であるから、ＮＯと判定される。次に、ステップＳ１１３、Ｓ１１４、Ｓ１１５（ＹＥＳ）、Ｓ１１６（ＹＥＳ）、Ｓ１１８の順に処理が実行される。その結果、図９に示すように、２４枚の普通紙で１つのシート束が形成され、このシート束が綴じ具で綴じられ、１枚の厚紙Ｂは綴じ具で綴じられない。
【００３９】
＜動作例６＞
動作例６は、普通紙３０枚を綴じる旨の指示が制御装置１に与えられ、収容部３１に収容されたシートの２枚目に厚紙Ｃが混入していた例である。最初に、ステップＳ１０１において、ＹＥＳと判定される。次に、ステップＳ１０２において、シートの厚さは２であり、未綴じシート束の厚さは、２×３０＝６０であるから、ＹＥＳと判定される。次に、ステップＳ１０３において、６０÷５０＝１（余り１０）より、分割数＝２となり、６０÷２＝３０より、目標値＝３０となる。次に、１枚目のシートの厚さの計測値が２であるから、このシートに対してステップＳ１０５、Ｓ１０６、Ｓ１０７（ＮＯ）、Ｓ１０８（ＹＥＳ）、Ｓ１１２（ＹＥＳ）、Ｓ１１３、Ｓ１１４、Ｓ１１５（ＮＯ）の順に処理が実行される。
【００４０】
次に、２枚目のシートの厚さの計測値が６であるから、ステップＳ１０７において、計測値の累積値は、２＋６＝８となり、ＮＯと判定される。次に、ステップＳ１０８において、ＮＯと判定され、ステップＳ１０９において、未綴じシート束の厚さは、８＋２×２８＝６４であるから、ＹＥＳと判定され、ステップＳ１１０において、６４÷５０＝１（余り１４）より、分割数＝２となり、６４÷２＝３２より、目標値＝３２となる。次に、ステップＳ１１２において、貯留済みのシート束の厚さは２であるから、ＹＥＳと判定され、ステップＳ１１３、Ｓ１１４、Ｓ１１５（ＮＯ）の順に処理が実行される。その後、残りの全てのシートの厚さの計測値が２であるから、１５枚目のシートに対してステップＳ１０７でＹＥＳと判定される。
【００４１】
次に、ステップＳ３０１において１枚目から１４枚目までのシート束が１つに綴じられて排出され、ステップＳ３０２において、累積値＝２となる。次に、ステップＳ３０３において、未綴じシート束の厚さは、２×１６＝３２となるから、ＮＯと判定される。その後、最後のシートに対してステップＳ１１５でＹＥＳと判定され、Ｓ１１６（ＮＯ）、Ｓ１１７の順に処理が実行される。その結果、図１０に示すように、１３枚の普通紙と１枚の厚紙Ｂとで１つのシート束が形成され、さらに、１６枚の普通紙で１つのシート束が形成され、各シート束が綴じ具で綴じられる。
【００４２】
＜動作例７＞
動作例７は、普通紙５０枚を綴じる旨の指示が制御装置１に与えられ、収容部３１に収容されたシートの２５枚目に厚紙Ｃが混入していた例である。最初に、ステップＳ１０１において、ＹＥＳと判定される。次に、ステップＳ１０２において、シートの厚さは２であり、未綴じシート束の厚さは、２×５０＝１００であるから、ＹＥＳと判定される。ステップＳ１０３において、１００÷５０＝２より、分割数＝２となり、１００÷２＝５０より、目標値＝５０となる。次に、１枚目から２４枚目のシートの厚さの計測値が２であるから、これらのシートに対してステップＳ１０５、Ｓ１０６、Ｓ１０７（ＮＯ）、Ｓ１０８（ＹＥＳ）、Ｓ１１２（ＹＥＳ）、Ｓ１１３、Ｓ１１４、Ｓ１１５（ＮＯ）の順に処理が実行される。
【００４３】
次に、２５枚目のシートの厚さの計測値が６であるから、ステップＳ１０７において、計測値の累積値は、２×２４＋６＝５４となり、ＹＥＳと判定される。次に、ステップＳ３０１において１枚目から２４枚目までのシート束が１つに綴じられて排出され、ステップＳ３０２において、累積値＝６となる。次に、ステップＳ３０３において、未綴じシート束の厚さは、６＋２×２５＝５６となるから、ＹＥＳと判定される。ステップＳ３０４において、５６÷５０＝２より、分割数＝２となり、５６÷２＝２８より、目標値＝２８となる。その後、３７枚目のシートに対してステップＳ１１２においてＮＯと判定される。
【００４４】
次に、ステップＳ３０１において２５枚目から３６枚目までのシート束が１つに綴じられて排出され、ステップＳ３０２において、累積値＝２となる。次に、ステップＳ３０３において、未綴じシート束の厚さは、２×１４＝２８となるから、ＮＯと判定される。その後、最後のシートに対してステップＳ１１５でＹＥＳと判定され、Ｓ１１６（ＮＯ）、Ｓ１１７の順に処理が実行される。その結果、図１１に示すように、２４枚の普通紙で１つのシート束が形成され、さらに、１枚の厚紙Ｃと１１枚の普通紙とで１つのシート束が形成され、さらに、１４枚の普通紙で１つのシート束が形成され、各シート束が綴じ具で綴じられる。
【００４５】
＜変形例＞
実施形態を次のように変形してもよい。また、複数の変形例を組み合わせてもよい。
＜１＞
動作例４、５では、貯留済みのシート束の厚さが再設定された目標値を超えたため、その時点で貯留済みのシート束を綴じたが、このような場合、シート束を綴じずに全てのシートを印刷して排出し、再設定された目標値に対応するシートの枚数をユーザに提示するようにしてもよい。
【００４６】
＜２＞
実施形態では、綴じ具がステイプルである例を示したが、綴じ具はシート束を挟むクリップなどでもよい。シートは、紙、樹脂製のフィルムなど、いかなるものでもよい。
【００４７】
＜３＞
実施形態では、制御装置１が印刷装置３と一体に構成されている例を示したが、制御装置１は印刷装置３と分離されていてもよい。
実施形態では、制御装置１による制御の対象が印刷装置３である例を示したが、制御の対象は、印刷後のシートを綴じ具で綴じる処理装置を備えた複写機やファクシミリ装置などでもよい。また、この処理装置が印刷装置、複写機、ファクシミリ装置から分離されている場合には、この処理装置を制御装置１による制御の対象としてもよい。
【００４８】
＜４＞
実施形態では、シートの種別や枚数が情報処理装置２から送信される印刷指示で指定される例を示したが、シートの種別や枚数をユーザが制御装置１や印刷装置３に入力するようにしてもよい。
【００４９】
＜５＞
実施形態では、制御装置１の制御部１１がアプリケーションプログラムを実行することによって上記の機能を実現する例を示したが、上記の機能がハードウェア回路で制御装置１に実装されていてもよい。また、このプログラムを、光記録媒体、半導体メモリ等、コンピュータで読み取り可能な記録媒体に記録して提供し、この記録媒体からプログラムを読み取って制御装置１にインストールするようにしてもよい。また、このプログラムを電気通信回線で提供してもよい。
【符号の説明】
【００５０】
１…制御装置、１１…制御部、１２…記憶部、１３…通信部、１０１…設定手段、１０２…取得手段、１０３…形成手段、１０４…指示手段、１０５…再設定手段、２…情報処理装置、３…印刷装置、３１…収容部、３２…搬送部、３３…計測部、３４…印刷部、３５…貯留部、３６…表示部、３７…受付部、３８…搬送路、３９…綴じ処理部、４０…排出部
【図１】
0006402536.tif 000002
【図２】
0006402536.tif 000003
【図３】
0006402536.tif 000004
【図４】
0006402536.tif 000005
【図５】
0006402536.tif 000006
【図６】
0006402536.tif 000007
【図７】
0006402536.tif 000008
【図８】
0006402536.tif 000009
【図９】
0006402536.tif 000010
【図１０】
0006402536.tif 000011
【図１１】
0006402536.tif 000012